【事件の表示】
　特許第６２１２７８６号発明「健康情報表示装置、ソリューションシステム及び方法」の特許異議申立事件について、次のとおり決定する。
【結　論】
　特許第６２１２７８６号の特許請求の範囲を訂正請求書に添付された特許請求の範囲のとおり、訂正後の請求項２、１０について訂正することを認める。
　特許第６２１２７８６号の請求項２、３、８、１０、１４ないし１６に係る特許を維持する。
【理　由】
１．手続の経緯
　特許第６２１２７８６号の請求項２、３、８、１０、１４ないし１６に係る特許についての出願は、２０１４年（平成２６年）１０月１日（優先権主張　平成２５年１０月１日）を国際出願日とする特願２０１５−５０８３５４号の一部を平成２８年１２月２６日に新たな特許出願としたものであって、平成２９年９月２９日にその特許権の設定登録がされ、平成２９年１０月１８日に特許掲載公報が発行された。その後、その特許について、平成３０年４月１６日に特許異議申立人新井誠一により特許異議の申立てがされ、平成３０年６月２８日付けで取消理由通知がされ、平成３０年８月２２日に意見書の提出及び訂正請求がされ、平成３０年１０月１５日付けで訂正拒絶理由通知がされ、平成３０年１１月７日に意見書が提出され、平成３０年１１月２８日付けで取消理由通知がされ、平成３０年１２月１２日に意見書の提出及び訂正請求（以下、本件訂正という。）がされたものである。その訂正請求に対して、特許異議申立人新井誠一は、意見書の提出をしなかった。
第２　訂正の適否についての判断
１　訂正の内容
　本件訂正は、「特許第６２１２７８６号の特許請求の範囲を、本訂正請求書に添付した訂正特許請求の範囲のとおり、訂正後の請求項２、１０について訂正する」ことを求めるものであり、その訂正の内容は、本件特許に係る特許請求の範囲を、次のように訂正するものである（下線は、訂正箇所を示す。）。
（１）訂正事項１
　特許請求の範囲の請求項２に「ユーザの健康情報である、ゲノム情報と、生体情報及び行動情報とに基づいて推定された、当該ユーザの将来の健康リスクを前記表示部に表示する表示制御部」と記載されているのを、「ユーザの健康情報であ
るゲ
から導き出されるゲノムの型
ユーザの健康情報である
から導き出されるライフスタイルの型
（２）訂正事項２
　特許請求の範囲の請求項１０に「ユーザの健康情報である、ゲノム情報と、生体情報及び行動情報とに基づいて推定された、当該ユーザの将来の健康リスクを表示部に表示し」と記載されているのを、「ユーザの健康情報であ
るゲ
から導き出されるゲノムの型
ユーザの健康情報である
から導き出されるライフスタイルの型
２　訂正の適否
（１）訂正事項１について
ア　訂正前の請求項２に係る発明は、「当該ユーザの将来の健康リスク」が、「ユーザの健康情報である、ゲノム情報と、生体情報及び行動情報とに基づいて推定された、当該ユーザの将来の健康リスク」であることを特定している。
　これに対して、訂正後の請求項２は、「ユーザの健康情報であ
るゲ
から導き出されるゲノムの型
ユーザの健康情報である
から導き出されるライフスタイルの型
イ　願書に添付した明細書には、以下の記載がある。
　段落【００４０】には、「個人のＰＨＲデータから本人のライフスタイルの型を割り出す」と記載されている。
　段落【００１３】には、「生体情報と行動情報とが紐付けられた真のバイタルデータと、個人のゲノム情報から解析された体質データベースとを統合した革新的なＰＨＲ（Personal  Health  Record）ビッグデータ」と記載されている。
　段落【００３５】には、「ＰＨＲデータは、「健康情報」とも呼ばれる」と記載されている。
　段落【００３６】には、「ＰＨＲビッグデータを解析し、ゲノム情報と、ライフスタイルと、健康リスクとの関連性を導き出す」と記載されている。
　段落【００３７】には、「ＰＨＲビッグデータを対象にコホート分析を行い、ゲノムの型及びライフスタイルの型の組み合わせと、将来発症し得る疾病のリスク（「疾病発症リスク」と呼ばれる）との関連性を導き出す」と記載されている。
　段落【００５４】には、「ゲノムの型及びライフスタイルの型の組み合わせ毎に健康リスクを推定する」と記載されている。
　これらの記載から、「ユーザの健康情報であ
るゲ
から導き出されるゲノムの型
ユーザの健康情報である
から導き出されるライフスタイルの型
　したがって、訂正事項１は、願書に添付した明細書、特許請求の範囲又は図面に記載した事項の範囲内のものである。
（２）訂正事項２について
　上記訂正事項１で検討した内容と同様の理由により、訂正事項２は、特許請求の範囲の減縮を目的とするものであり、実質上特許請求の範囲を拡張し、又は変更するものには該当せず、願書に添付した明細書、特許請求の範囲又は図面に記載した事項の範囲内のものである。
（３）まとめ
　以上のとおりであるから、本件訂正請求による訂正は、特許法第１２０条の５第２項ただし書第１号に掲げる事項を目的とするものであり、かつ、同条第９項で準用する同法第１２６条第５項及び第６項の規定に適合するものである。
　したがって、特許請求の範囲を、訂正請求書に添付された訂正特許請求の範囲のとおり、訂正後の請求項２、１０について訂正することを認める。
第３　訂正後の本件発明
　本件訂正請求により訂正された請求項２、３、８、１０、１４〜１６に係る発明（以下、「本件発明２」「本件発明３」等という。）は、本件訂正後の特許請求の範囲２、３、８、１０、１４〜１６に記載された事項により特定される発明であり、本件発明２、３、８、１０、１４〜１６は以下のとおりの発明である。
「【請求項２】
　表示部と、
　ユーザの健康情報であ
るゲ
から導き出されるゲノムの型
ユーザの健康情報である
から導き出されるライフスタイルの型
　前記表示制御部は、前記将来の健康リスクとともに、前記ユーザの目標の健康状態及び当該目標の健康状態に到達するための指導情報のうち、少なくとも１つを表示し、操作者からライフスタイルの変更指示を受け付けると、受け付けた変更指示に応じてシミュレーションされた将来の健康リスクを表示する健康情報表示装置。
【請求項３】
　表示部と、
　ユーザの健康情報である、ゲノム情報と、生体情報及び行動情報とに基づいて推定された、当該ユーザの将来の健康リスクを前記表示部に表示する表示制御部とを備え、
　前記表示制御部は、前記将来の健康リスクとともに、前記ユーザの健康情報として、ゲノム情報から導き出されるゲノムの型、及び、生体情報及び行動情報から導き出されるライフスタイルの型を表示する、健康情報表示装置。
【請求項８】
　表示部と、
　複数ユーザ分の健康情報を解析することで、ゲノム情報から導き出されるゲノムの型、及び、生体情報及び行動情報から導き出されるライフスタイルの型の組み合わせと、将来発症し得る疾病との関連性を導き出す解析部と、
　前記解析部により解析されたユーザの健康情報である、ゲノム情報と、生体情報及び行動情報とに基づいて推定された、当該ユーザの将来の健康リスクを前記表示部に表示する表示制御部とを備え、
　前記表示制御部は、前記将来の健康リスクとともに、前記ユーザの目標の健康状態及び当該目標の健康状態に到達するための指導情報のうち、少なくとも１つを表示する、ソリューションシステム。
【請求項１０】
　健康情報表示装置が、
　ユーザの健康情報であ
るゲ
から導き出されるゲノムの型
ユーザの健康情報である
から導き出されるライフスタイルの型
　前記将来の健康リスクとともに、前記ユーザの目標の健康状態及び当該目標の健康状態に到達するための指導情報のうち、少なくとも１つを表示し、操作者からライフスタイルの変更指示を受け付けると、受け付けた変更指示に応じてシミュレーションされた将来の健康リスクを表示する、
　健康情報表示方法。
【請求項１４】
　ソリューションシステムが、
　複数ユーザ分の健康情報を解析することで、ゲノム情報から導き出されるゲノムの型、及び、生体情報及び行動情報から導き出されるライフスタイルの型の組み合わせと、将来発症し得る疾病との関連性を導き出し、
　解析したユーザの健康情報である、ゲノム情報と、生体情報及び行動情報とに基づいて推定された、当該ユーザの将来の健康リスクを表示部に表示し、
　前記将来の健康リスクとともに、前記ユーザの目標の健康状態及び当該目標の健康状態に到達するための指導情報のうち、少なくとも１つを表示する、
　健康情報表示方法。
【請求項１５】
　各ユーザの健康情報である、ゲノム情報と生体情報及び行動情報とを、複数ユーザ分蓄積する蓄積部と、
　蓄積された複数ユーザ分の健康情報を解析することで、ゲノム情報から導き出されるゲノムの型、及び、生体情報及び行動情報から導き出されるライフスタイルの型の組み合わせと、将来発症し得る疾病との関連性を導き出す解析部と、
　前記解析の結果と所定のユーザの健康情報とを用いて、当該所定のユーザの将来の健康リスクを推定する推定部と、
　表示部と、
　前記推定部により推定された、当該ユーザの将来の健康リスクを前記表示部に表示する表示制御部とを備え、
　前記表示制御部は、前記将来の健康リスクとともに、前記ユーザの健康情報を表示し、前記将来の健康リスクとして、前記ユーザが将来発症し得る疾病の名称を表示する、ソリューションシステム。
【請求項１６】
　ソリューションシステムが、
　各ユーザの健康情報である、ゲノム情報と生体情報及び行動情報とを、各ユーザから収集し、
　前記各ユーザの健康情報を、複数ユーザ分蓄積し、
　蓄積した複数ユーザ分の健康情報を解析することで、ゲノム情報から導き出されるゲノムの型、及び、生体情報及び行動情報から導き出されるライフスタイルの型の組み合わせと、将来発症し得る疾病との関連性を導き出し、
　前記解析の結果と所定のユーザの健康情報とを用いて、当該所定のユーザの将来の健康リスクを推定し、この推定された、当該ユーザの将来の健康リスクを表示部に表示し、
　前記将来の健康リスクとともに、前記ユーザの健康情報を表示し、前記将来の健康リスクとして、前記ユーザが将来発症し得る疾病の名称を表示する、
　健康情報表示方法。」
第４　取消理由通知に記載した取消理由について
１　取消理由の概要
　訂正前の請求項２及び１０に係る特許に対して、当審が通知した平成３０年６月２８日付け取消理由の概要は、次のとおりである。
　請求項２、１０に係る発明は、甲第１号証ないし甲第３号証に記載された発明に基いて、当業者が容易に想到することができたものである。よって、請求項２、１０に係る特許は、特許法第２９条第２項の規定に違反してされたものであり、取り消されるべきものである。
　甲第１号証：特開２００３−０６７４９９号公報
　甲第２号証：特開平１１−０４７０９６号公報
　甲第３号証：特開２００８−１７６４３４号公報
２　甲号証の記載
（１）甲第１号証（特開２００３−０６７４９９号公報）
　甲第１号証（以下「甲１」という）には、以下の事項が記載されている。（下線は当審で付した。）
「【００２８】ここで、遺伝的要素とは、個人の種々の遺伝情報のうち、その内容に個人差が存在するものを指すこととする。換言すれば、個人が生得的に有する内的要素に相当する。この遺伝的要素は、遺伝情報を塩基配列単位で見た場合、遺伝子単位で見た場合のいずれについても定義可能であり、また、遺伝子の挙動についても定義することができる。すなわち、この
遺伝的要素ととして、具体的には、染色体上の特定領域のＤＮＡ塩基配列の多型（特に一塩基多型（single nucleotidepolymorphism：SNP）や制限断片長多型（restriction fragment length polymorphism：RFLP））、染色体上の特定遺伝子の多型、染色体上の特定遺伝子の発現状況（遺伝子が転写されたｍＲＮＡの有無やその存在量およびその時間的推移、複数の遺伝子から転写された複数のｍＲＮＡ間の存在量および時間的推移の関係）等
「【００３２】また、
身体的要素とは
血圧、脈拍、視力、尿中成分値、血中成分値
【００３３】さらに、
環境的要素とは
睡眠時間や運動量等の生活習慣、食事や飲酒、喫煙等の生活嗜好等
【００３４】なお、以下の記載においては、上述の遺伝的要素に関する情報、身体的要素に関する情報、および環境的要素に関する情報を、それぞれ遺伝情報，身体情報，環境情報と呼ぶことにする。すなわち、前述した個人情報とは、個人の遺伝情報，身体情報，および環境情報の総称である。」
「【００４３】サーバ２は、前記相関情報を有するとともに、後述する端末３から送られてきた
個人情報に基づき、前記の相関情報を用いて演算を行なうことにより、個人の健康状態を診断する
「【００５５】具体的には、制御・演算部２４は、前記相関情報に含まれている、診断対象の健康状態についての相関関係の数理的表現に基づき、受信した個人情報を用いて演算を行なう。そして、その演算結果に基づき、診断対象となる健康状態について、複数の範疇への分類（例えば、
各種疾病の罹病の有無や罹病の兆候の有無の判定
【００５６】例えば、図２の相関情報テーブルを用いて、
疾病βの罹病の危険性についての診断を行なう場合は、まず、相関情報テーブルにおいて疾病βと対応付けられている遺伝的要素（染色体上のＤＮＡ塩基配列βにおける多型II）および身体的・環境的要素（飲酒習慣および喫煙習慣）が、受信した個人情報の中に存在するか否かを判断する。次いで、該当する遺伝的・身体的・環境的要素について、相関情報テーブルに記載された％値または倍率を用いた相加相乗演算を行ない、疾病βの罹病の危険性を％値として算出する。
【００５７】さらに、制御・演算部２４は、健康状態の診断結果（分類された健康状態の範疇や数値化された健康状態の程度等）を含む送信用の情報（診断結果情報）を生成するとともに、
生成した診断結果情報を、送信部２２を制御することにより、通信ネットワーク１０を介して端末３に送信する
「【００６３】一方、
端末３は、前記の個人情報を有するとともに、上述したサーバ２から送られてきた個人の健康状態の診断結果を表示する
表示部等の表示装置
が内蔵または接続されており、ＣＰＵの各種処理によって制御可能
「【００９４】こうした点を踏まえ、本発明では、
多数の個人を標本として、その遺伝的要素，身体的要素および環境的要素に関する情報（以下、併せて標本個人情報という。）と、その健康状態に関する情報（以下、標本健康情報という。）とを、標本毎に対応付けながら収集する。そして、これらの標本個人情報と標本健康情報との対応関係に基づいて、遺伝的要素，身体的要素および環境的要素と健康状態との相関関係を解析する。さらに、その解析結果を前記相関情報として使用しながら、健康状態の診断を行なう
「【０１０２】制御・演算部２４は、上述した第１実施形態における各種機能をそなえるとともに、記憶部２３を制御して、記憶部２３における標本情報の記憶・更新を行なう。前述の通り、
標本情報は、健康診断の対象となる個人（すなわち、端末３に個人情報が記憶された個人）から収集される場合と、それとは別の個人から収集される場合とがある。
個人の個人情報および健康状態に関する情報が、端末３から通信ネットワーク１０を通じて、適宜送信されてくる
標本となる個人の遺伝的，身体的および環境的要素に関する情報および健康状態に関する情報が、通信システム１０に接続された図示しない他の端末等から、通信システム１０を通じて送信されてくる
受信部２１において受信されたこれらの情報、または前記の外部記憶媒体や入力装置から入力されたこれらの情報を取得し、新たな標本情報として記憶部２３に記憶させる。
【０１０３】さらに、制御・演算部２４は、個人情報と健康状態との相関関係を解析するための相関解析プログラムをそなえている。そして、この相関解析プログラムに従い、
記憶部２３に記憶された前記標本情報に基づき、個人情報と健康状態との相関関係を解析する
【０１０４】具体的には、制御・演算部２４は、
記憶部２３に記憶された標本個人情報に含まれる要素（遺伝的，身体的，環境的要素）と、標本健康情報に含まれる健康状態とを、それぞれ確率変数として捉える。そして、これらの確率変数間の共変関係を、公知の様々な解析手法（例えば、多変量解析等の統計解析による手法、ニューラル・ネットワーク等のモデル化による手法、ファジー推論アルゴリズムによる手法、エキスパートシステムによる手法など）を用いて解析し、その結果を、遺伝的，身体的，環境的要素と各健康状態との相関関係とする
「【０１３２】具体的には、制御・演算部２４は、記憶部２３に記憶された相関情報と端末３から受信した個人情報を用いて健康状態の診断を行なった後、その
診断結果に基づき、診断結果が良好でなかった健康状態について、記憶部２３に記憶された健康状態改善情報を参照しながら、健康状態改善プランを作成する
「【０１３６】一方、本実施形態の端末３は、基本的には第１実施形態と同一の構成要素を有しているが、以下の点に於いて第１実施形態と異なっている。制御・演算部３４は、サーバ２から通信ネットワーク１０を通じて、
診断結果情報と一緒に、健康状態改善プランに関する情報が送信されてきた場合に
健康状態改善プランを表示部３６に表示させる
「【０１３８】（ＩＶ−２）  健康診断システムの動作
図１２は、本実施形態の
健康診断システムを用いた健康診断
　以上の記載によれば、甲１には以下の発明（以下「甲１発明の１」という。）が記載されていると認められる。
「表示手段と、
　個人の個人情報である、ＤＮＡ塩基配列等の多型に関する情報と、血圧、脈拍、尿中成分値、血中成分値に関する情報、及び、睡眠時間、運動量、飲酒、喫煙に関する情報とに基づいて診断された、当該個人の将来の罹病可能性を前記表示手段に表示する表示制御手段とを備え、
　前記表示制御手段は、前記将来の罹病可能性とともに、前記個人の健康状態を改善するための健康状態改善プランを表示する、
　健康情報表示端末。」
（２）甲第２号証（特開平１１−０４７０９６号公報）
　甲第２号証（以下「甲２」という）には、「操作する者からライフスタイルの変更操作を受け付けると、受け付けた変更操作に応じてシミュレーションされた将来の疾患リスクを表示する」という技術的事項が記載されている（段落【００４４】−【００４５】）。
（３）甲第３号証（特開２００８−１７６４３４号公報）
　甲３号証（以下「甲３」という）には、「操作する者から生活習慣の変更操作を受け付けると、受け付けた変更操作に応じて将来の疾病発症割合を変化させて表示する」という技術的事項が記載されている（段落【００５９】）。
３　当審の判断
（１）本件発明２について
　本件発明２と甲１発明の１とを対比すると次のことがいえる。
ア　甲１発明の１の「健康情報表示端末」は、後述する相違点を除いて、本件発明２の「健康情報表示装置」に対応する。
イ　甲１発明の１の「表示手段」は、本件発明２の「表示部」に相当する。
ウ　甲１発明の１の「個人の個人情報」は、個人の健康に関する罹病可能性を診断するための情報であるから、「ユーザの健康情報」に相当する。
エ　甲１発明の１の「ＤＮＡ塩基配列等の多型に関する情報」は、本件発明２の「ゲノム情報から導き出されるゲノムの型」に相当する。
オ　甲１発明の１の「血圧、脈拍、尿中成分値、血中成分値に関する情報、及び、睡眠時間、運動量、飲酒、喫煙に関する情報」は、本件発明２の「生体情報及び行動情報」に相当する。
カ　甲１発明の１における、「当該個人の将来の罹病可能性」が「診断」される構成は、本件発明２における「当該ユーザの将来の健康リスク」が「推定」される構成に対応する。
キ　甲１発明の１の「前記表示手段に表示する表示制御手段」は、後述する相違点を除いて、本件発明２の「前記表示部に表示する表示制御部」に対応する。
ク　甲１発明の１は、「前記表示制御手段は、前記将来の罹病可能性とともに、前記個人の健康状態を改善するための健康状態改善プランを表示」する構成を備えており、「健康状態を改善するための健康状態改善プラン」は、目標とする健康状態に到達するための指導情報であるといえるから、甲１発明の１は、本件発明２の「前記表示制御部は、前記将来の健康リスクとともに、前記ユーザの目標の健康状態及び当該目標の健康状態に到達するための指導情報のうち、少なくとも１つを表示」に相当する構成を備えているといえる。
　以上アないしクによれば、本件発明２と甲１発明の１との間には、次の一致点、相違点があるといえる。
（一致点）
「表示部と、
　ユーザの健康情報であるゲノム情報から導き出されるゲノムの型と、ユーザの健康情報である生体情報及び行動情報とに基づいて推定された、当該ユーザの将来の健康リスクを前記表示部に表示する表示制御部とを備え、
　前記表示制御部は、前記将来の健康リスクとともに、前記ユーザの目標の健康状態及び当該目標の健康状態に到達するための指導情報のうち、少なくとも１つを表示する、健康情報表示装置。」
（相違点）
（相違点１）「ユーザの将来の健康リスク」を推定するにあたり、甲２発明は、「生体情報及び行動情報から導き出されるライフスタイルの型」を用いるのに対し、甲１発明の１は「生体情報及び行動情報」を用いているものの、「ライフスタイルの型」を導き出して用いるものではない点。
（相違点２）甲２発明は、「操作者からライフスタイルの変更指示を受け付けると、受け付けた変更指示に応じてシミュレーションされた将来の健康リスクを表示する」構成を有するのに対し、甲１発明の１はそのような構成を有しない点。
　上記相違点１について検討すると、相違点１に係る本件発明２の、「ユーザの将来の健康リスク」を推定するために「生体情報及び行動情報から導き出されるライフスタイルの型」を用いるという構成は、甲２または甲３のいずれにも記載されておらず、甲１発明の１に甲２または甲３に記載の技術的事項を組み合わせることによっても当業者が容易に想到し得ないものである。したがって、上記相違点２について判断するまでもなく、本件発明２は、当業者であっても甲１発明の１及び甲２〜３に記載の技術的事項に基づいて容易に発明できたものであるとはいえない。
（２）本件発明１０について
　本件発明１０は、概略、本件発明２を方法のカテゴリーで記載した発明である。本件発明１０は、上記本件発明２で示した判断と同様に、甲１発明の１に甲２または甲３に記載の技術的事項を組み合わせることによっても当業者が容易に想到し得ないものである。よって本件発明２は、当業者が甲１発明の１及び甲２〜３に記載の技術的事項に基づいて容易に発明できたものであるとはいえない。
第５　取消理由通知において採用しなかった特許異議申立理由について
　申立人は、本件発明８、１４〜１６は、甲１に記載された発明であるから、特許法第２９条第１項第３号の規程に違反してされたものである旨、及び、本件発明３、１５、１６は、甲１に記載された発明に基いて当業者が容易に発明をすることができたものであるから、特許法第２９条第２項の規定に違反してされたものである旨も主張しているので、当該主張について、以下に検討する。
（１）本件発明３について
　本件発明３と、甲１発明の１とを対比すると、両者は以下の点で相違する。
（相違点１）本件発明３は、「前記将来の健康リスクとともに、前記ユーザの健康情報として、ゲノム情報から導き出されるゲノムの型、及び、生体情報及び行動情報から導き出されるライフスタイルの型を表示する」との構成を備えるのに対し、甲１発明の１は「将来の健康リスク」を「表示する」構成を備えるものの、それとともに「前記ユーザの健康情報として、ゲノム情報から導き出されるゲノムの型、及び、生体情報及び行動情報から導き出されるライフスタイルの型」を表示する構成を備えない点。
　上記相違点１について検討すると、「生体情報及び行動情報から導き出されるライフスタイルの型」を表示するという構成は、甲２または甲３のいずれにも記載されておらず、甲１発明の１に甲２または甲３に記載の技術的事項を組み合わせることによっても当業者が容易に想到し得ないものである。よって本件発明３は、当業者であっても甲１発明の１に基づいて容易に発明できたものであるとはいえない。
（２）本件発明８について
　上記第４で検討した点に加え、段落【０１０３】−【０１０４】、【０１３８】等を参酌すると、甲１には、以下の発明が記載されている（以下、甲１発明の２という。）。
「表示手段と、
　複数人分の個人情報を解析することで、ＤＮＡ塩基配列等の多型に関する情報から抽出されるＤＮＡ塩基配列の類型、及び、血圧、脈拍、尿中成分値、血中成分値に関する情報、及び、睡眠時間、運動量、飲酒、喫煙に関する情報から抽出される飲酒、喫煙、血中成分値等の類型の組み合わせと、将来罹病し得る疾病との相関関係を導き出す解析手段と、
　前記解析手段により解析された個人の個人情報である、ＤＮＡ塩基配列等の多型に関する情報と、血圧、脈拍、尿中成分値、血中成分値に関する情報、及び、睡眠時間、運動量、飲酒、喫煙に関する情報とに基づいて診断された、当該個人の将来の罹病可能性を前記表示手段に表示する表示制御手段とを備え、
　前記表示制御手段は、前記将来の罹病可能性とともに、前記個人の健康状態を改善するための健康状態改善プランを表示する、
　システム。」
　本件発明８と、甲１発明の２とを対比すると、両者は以下の点で相違する。
（相違点１）本件発明８の「解析部」が、「ゲノム情報から導き出されるゲノムの型、及び、生体情報及び行動情報から導き出されるライフスタイルの型の組み合わせと、将来発症し得る疾病との関連性を導き出す」との構成を備えるのに対し、甲１発明の２の「解析手段」は、「ゲノム情報から導き出されるゲノムの型」と「生体情報及び行動情報」を疾病との関連性の解析に用いるものの、「生体情報及び行動情報から導き出されるライフスタイルの型」を用いるものではない点。
　したがって、本件発明８は甲１に記載された発明ではない。
（３）本件発明１４について
　本件発明１４は、本件発明８を方法のカテゴリーで記載した発明であり、本件発明８の「生体情報及び行動情報から導き出されるライフスタイルの型」を解析に用いるとの構成と同一の構成を備えるものであるから、上記本件発明８と同様に、甲１に記載された発明ではない。
（４）本件発明１５について
　上記本件発明８について検討した点に加え、段落【００９４】、【０１０２】等を参酌すると、甲１には、以下の発明が記載されている（以下、甲１発明の３という。）。
「各個人の個人情報である、ＤＮＡ塩基配列等の多型に関する情報と、血圧、脈拍、尿中成分値、血中成分値に関する情報、及び、睡眠時間、運動量、飲酒、喫煙に関する情報とを、複数人分記憶する記憶部と、
　記憶された複数人分の個人情報を解析することで、ＤＮＡ塩基配列等の多型に関する情報から抽出されるＤＮＡ塩基配列の類型、及び、血圧、脈拍、尿中成分値、血中成分値に関する情報、及び、睡眠時間、運動量、飲酒、喫煙に関する情報から抽出される飲酒、喫煙、血中成分値等の類型の組み合わせと、将来罹病し得る疾病との相関関係を導き出す解析手段と、
　前記解析の結果の相関情報と所定の個人の個人情報とを用いて、当該所定の個人の将来の罹病可能性を診断する診断手段と、
　表示手段と、
　前記診断手段により診断された、当該個人の将来の罹病可能性を前記表示手段に表示する表示制御手段とを備え、
　前記表示制御手段は、前記将来の罹病可能性とともに前記個人の個人情報を表示し、
　前記将来の罹病可能性として、前記個人が将来罹病し得る疾病の名称を表示する、
　システム」
　本件発明１５と、甲１発明の３とを対比すると、両者は以下の点で相違する。
（相違点１）本件発明１５の「解析部」が、「ゲノム情報から導き出されるゲノムの型、及び、生体情報及び行動情報から導き出されるライフスタイルの型の組み合わせと、将来発症し得る疾病との関連性を導き出す」との構成を備えるのに対し、甲１発明の３の「解析手段」は、「ゲノム情報から導き出されるゲノムの型」と「生体情報及び行動情報」を疾病との関連性の解析に用いるものの、「生体情報及び行動情報から導き出されるライフスタイルの型」を用いるものではない点。
　したがって、本件発明１５は甲１に記載された発明ではない。また、上記相違点１に係る「生体情報及び行動情報から導き出されるライフスタイルの型」を解析に用いるという構成は、甲２または甲３のいずれにも記載されておらず、甲１発明の３に甲２または甲３に記載の技術的事項を組み合わせることによっても当業者が容易に想到し得ないものである。よって本件発明１５は、当業者が甲１発明の３に基づいて容易に発明できたものであるとはいえない。
（５）本件発明１６について
　本件発明１６は、本件発明１５を方法のカテゴリーで記載した発明であり、本件発明１５の「生体情報及び行動情報から導き出されるライフスタイルの型」を解析に用いるとの構成と同一の構成を備えるものであるから、上記本件発明１５と同様に、甲１に記載された発明ではない。また、本件発明１６は、当業者が甲１発明の３に基づいて容易に発明できたものであるとはいえない。
（６）まとめ
　以上検討したとおり、本件発明８、１４〜１６は、甲１に記載された発明ではなく、本件発明３、１５、１６は、甲１に記載された発明に基いて当業者が容易に発明をすることができたものではないから、申立人の主張を採用することはできない。
第６　むすび
　以上のとおりであるから、特許異議の申立ての理由及び証拠によっては、請求項２、３、８、１０、１４〜１６に係る特許を取り消すことはできない。
　また、他に請求項２、３、８、１０、１４〜１６に係る特許を取り消すべき理由を発見しない。
　よって、結論のとおり決定する。
【異議決定日】
平成３１年２月２５日（２０１９．２．２５）
【訂正の要旨】
審決（決定）の【理由】欄参照。
（５７）【特許請求の範囲】
　【請求項１】
　表示部と、
　ユーザの健康情報である、ゲノム情報と、生体情報及び行動情報とに基づいて推定された、当該ユーザの将来の健康リスクを前記表示部に表示する表示制御部とを備え、
　前記表示制御部は、前記将来の健康リスクとともに、前記ユーザの目標の健康状態及び当該目標の健康状態に到達するための指導情報のうち、少なくとも１つを表示し、操作者から、前記推定に用いる前記ユーザの健康情報の期間の幅を受け付けると、受け付けた期間の幅に応じた将来の健康リスクを表示する健康情報表示装置。
　【請求項２】
　表示部と、
　ユーザの健康情報であ
るゲ
から導き出されるゲノムの型
ユーザの健康情報である
から導き出されるライフスタイルの型
　前記表示制御部は、前記将来の健康リスクとともに、前記ユーザの目標の健康状態及び当該目標の健康状態に到達するための指導情報のうち、少なくとも１つを表示し、操作者からライフスタイルの変更指示を受け付けると、受け付けた変更指示に応じてシミュレーションされた将来の健康リスクを表示する健康情報表示装置。
　【請求項３】
　表示部と、
　ユーザの健康情報である、ゲノム情報と、生体情報及び行動情報とに基づいて推定された、当該ユーザの将来の健康リスクを前記表示部に表示する表示制御部とを備え、
　前記表示制御部は、前記将来の健康リスクとともに、前記ユーザの健康情報として、ゲノム情報から導き出されるゲノムの型、及び、生体情報及び行動情報から導き出されるライフスタイルの型を表示する、健康情報表示装置。
　【請求項４】
　前記表示制御部は、前記将来の健康リスクとともに、前記ユーザの健康情報を表示し、前記将来の健康リスクとして、前記ユーザが将来発症し得る疾病の名称を表示する、請求項１に記載の健康情報表示装置。
　【請求項５】
　前記表示制御部は、前記ユーザ若しくは前記ユーザの関係者に対して前記疾病の名称を表示する場合には、一部の疾病の名称を非表示とする、請求項４に記載の健康情報表示装置。
　【請求項６】
　前記表示制御部は、医療従事者に対して前記疾病の名称を表示する場合には、正式名称及びＩＣＤ（Ｉｎｔｅｒｎａｔｉｏｎａｌ　Ｃｌａｓｓｉｆｉｃａｔｉｏｎ　ｏｆ　Ｄｉｓｅａｓｅｓ）コードのうち、少なくとも１つで表示する、請求項４または請求項５に記載の健康情報表示装置。
　【請求項７】
　前記表示制御部は、前記ユーザとは異なる他のユーザとの比較に基づいた複数ユーザの健康リスクランキングリストを表示し、当該健康リスクランキングリストに対して所定のユーザが指定された場合に、指定されたユーザの将来の健康リスク及び健康情報を表示する、請求項１に記載の健康情報表示装置。
　【請求項８】
　表示部と、
　複数ユーザ分の健康情報を解析することで、ゲノム情報から導き出されるゲノムの型、及び、生体情報及び行動情報から導き出されるライフスタイルの型の組み合わせと、将来発症し得る疾病との関連性を導き出す解析部と、
　前記解析部により解析されたユーザの健康情報である、ゲノム情報と、生体情報及び行動情報とに基づいて推定された、当該ユーザの将来の健康リスクを前記表示部に表示する表示制御部とを備え、
　前記表示制御部は、前記将来の健康リスクとともに、前記ユーザの目標の健康状態及び当該目標の健康状態に到達するための指導情報のうち、少なくとも１つを表示する、ソリューションシステム。
　【請求項９】
　健康情報表示装置が、
　ユーザの健康情報である、ゲノム情報と、生体情報及び行動情報とに基づいて推定された、当該ユーザの将来の健康リスクを表示部に表示し、
　前記将来の健康リスクとともに、前記ユーザの目標の健康状態及び当該目標の健康状態に到達するための指導情報のうち、少なくとも１つを表示し、操作者から、前記推定に用いる前記ユーザの健康情報の期間の幅を受け付けると、受け付けた期間の幅に応じた将来の健康リスクを表示する、
　健康情報表示方法。
　【請求項１０】
　健康情報表示装置が、
　ユーザの健康情報であ
るゲ
から導き出されるゲノムの型
ユーザの健康情報である
から導き出されるライフスタイルの型
　前記将来の健康リスクとともに、前記ユーザの目標の健康状態及び当該目標の健康状態に到達するための指導情報のうち、少なくとも１つを表示し、操作者からライフスタイルの変更指示を受け付けると、受け付けた変更指示に応じてシミュレーションされた将来の健康リスクを表示する、
　健康情報表示方法。
　【請求項１１】
　健康情報表示装置が、
　ユーザの健康情報である、ゲノム情報と、生体情報及び行動情報とに基づいて推定された、当該ユーザの将来の健康リスクを表示部に表示し、
　前記将来の健康リスクとともに、前記ユーザの健康情報として、ゲノム情報から導き出されるゲノムの型、及び、生体情報及び行動情報から導き出されるライフスタイルの型を表示する、
　健康情報表示方法。
　【請求項１２】
　前記将来の健康リスクとともに、前記ユーザの健康情報を表示し、前記将来の健康リスクとして、前記ユーザが将来発症し得る疾病の名称を表示する、
　請求項９に記載の健康情報表示方法。
　【請求項１３】
　前記将来の健康リスクとともに、前記ユーザの健康情報を表示し、前記ユーザとは異なる他のユーザとの比較に基づいた複数ユーザの健康リスクランキングリストを表示し、当該健康リスクランキングリストに対して所定のユーザが指定された場合に、指定されたユーザの将来の健康リスク及び健康情報を表示する、
　請求項９に記載の健康情報表示方法。
　【請求項１４】
　ソリューションシステムが、
　複数ユーザ分の健康情報を解析することで、ゲノム情報から導き出されるゲノムの型、及び、生体情報及び行動情報から導き出されるライフスタイルの型の組み合わせと、将来発症し得る疾病との関連性を導き出し、
　解析したユーザの健康情報である、ゲノム情報と、生体情報及び行動情報とに基づいて推定された、当該ユーザの将来の健康リスクを表示部に表示し、
　前記将来の健康リスクとともに、前記ユーザの目標の健康状態及び当該目標の健康状態に到達するための指導情報のうち、少なくとも１つを表示する、
　健康情報表示方法。
　【請求項１５】
　各ユーザの健康情報である、ゲノム情報と生体情報及び行動情報とを、複数ユーザ分蓄積する蓄積部と、
　蓄積された複数ユーザ分の健康情報を解析することで、ゲノム情報から導き出されるゲノムの型、及び、生体情報及び行動情報から導き出されるライフスタイルの型の組み合わせと、将来発症し得る疾病との関連性を導き出す解析部と、
　前記解析の結果と所定のユーザの健康情報とを用いて、当該所定のユーザの将来の健康リスクを推定する推定部と、
　表示部と、
　前記推定部により推定された、当該ユーザの将来の健康リスクを前記表示部に表示する表示制御部とを備え、
　前記表示制御部は、前記将来の健康リスクとともに、前記ユーザの健康情報を表示し、前記将来の健康リスクとして、前記ユーザが将来発症し得る疾病の名称を表示する、ソリューションシステム。
　【請求項１６】
　ソリューションシステムが、
　各ユーザの健康情報である、ゲノム情報と生体情報及び行動情報とを、各ユーザから収集し、
　前記各ユーザの健康情報を、複数ユーザ分蓄積し、
　蓄積した複数ユーザ分の健康情報を解析することで、ゲノム情報から導き出されるゲノムの型、及び、生体情報及び行動情報から導き出されるライフスタイルの型の組み合わせと、将来発症し得る疾病との関連性を導き出し、
　前記解析の結果と所定のユーザの健康情報とを用いて、当該所定のユーザの将来の健康リスクを推定し、この推定された、当該ユーザの将来の健康リスクを表示部に表示し、
　前記将来の健康リスクとともに、前記ユーザの健康情報を表示し、前記将来の健康リスクとして、前記ユーザが将来発症し得る疾病の名称を表示する、
　健康情報表示方法。